(57)【要約】      （修正有）【課題】ＦＬ１５型蛍光管２本を電気的に直列にし、平行に並べた形の軽量蛍光灯は、重量的にも、サイズ的にも、光量的にもバソコン上のペンダント灯などに最適であるが、実施が困難である。出力的には３０ワットのサークライン型蛍光管に等しくなるが、エネルギー効率的には入力制限手段の白熱灯の損失分を軽減出来るので、１０％近く良くなると推定される。問題は点灯性が極めて悪く、特に電圧が低下している時には、殆ど点灯出来なかった。【解決手段】ＦＬ１５型蛍光管２本の「直列順次起動軽量蛍光灯」の実用化を実現した。今回の特に新しい試みは、「順次起動」特有な回路である「点弧誘発バイパス回路」の固定抵抗をポジスタ（代用品の１燭光型小型電球）に置き替え、蛍光管のフィラメントに流れる加熱電流に時間的強弱を付け、点弧／点灯性を改善した。【選択図】図１
0003127923.tif 000002
【実用新案登録請求の範囲】
【請求項１】
直列にした２本の蛍光管の中点に電源側から設ける「点弧誘発バイパス回路」の「高電気抵抗」として、１燭光型小型電球と、同等以上の通電時電流減衰特性を示す正特性感熱素子を用いて「順次起動」する軽量蛍光灯。
【考案の詳細な説明】
【考案の詳細な説明】
【技術分野】
【０００１】  民生用照明灯
【背景技術】
【０００２】  「特願２００４−３８２６７６」の「軽量蛍光灯」では、当該「高電気抵抗」として、固定抵抗や小容量蓄電器を用いるとしているが、抵抗値が大きいため、これを経由する蛍光管のフィラメントは、加熱に時間を要し、蛍光灯が点灯する迄の時間が長く「即時点灯性」が極めて悪かった。単に抵抗値を下げただけでは、初期点弧（１時的放電）のみでよい第１蛍光管だけが半点灯状態に陥り、続いて起こるべき第２蛍光管の点弧など、次発の動作が全く起らなくなると言う不具合があった。
【考案が解決しようとする課題】
【０００３】  電灯線電圧に対し、自己点弧性を有するＦＬ１０型蛍光管は固定抵抗でも最低限度付近で何とか点灯を果すが、ＦＬ１５型蛍光管２本を直列にした定常点灯電圧は１００Ｖ．に近く、一本ずつ順次起動するとしても、点弧に必要な１．５倍以上の電圧を賄う余裕は無く、直列順次起動方式の適用は困難で、今迄見送られてきた。
困難な半面、もし実現すれば、無駄な電圧は皆無となり、入力制限手段の白熱灯さえ、不要とは言えないが、電圧変動に対応できるだけの、数ワットを残すだけで良いと考えられ、そのエネルギー効率は最高になる可能性がある。又、ＦＬ１５型蛍光管は寸法的にも、光量的にも我国の住宅事情にふさわしい面があり、パソコン上のペンダント灯などとして最適と思うので、次の課題を克服して実現を期したい。
１）．ＦＬ１５型蛍光管２本の順次起動に必要な端子電圧を確保する方法の探究。
２）．即時点灯性を少なくとも評価基準以内（１０秒未満）にする。
【課題を解決するための手段】
【０００４】  「１）．」に就いて、考えられる方法は２つあり、その１は、一般に放電管の特性として、電流を上げれば、放電に必要な電圧は下がるから、電流を上げる。ただし蛍光管が過負荷にならぬように、増加分は無効電流とし、総電流を増やす。その為に点灯回路に直列に容量３０μＦ程度の交流用コンデンサーを入れる。その２はブリッジダイオードと直流用コンデンサーを用いた整流回路により電源電圧を脈直流に変換して供給することにより負荷電流０．３Ａ．程度の時、約１３０Ｖ．を確保する。
「２）．」に就いて、即時点灯性悪化の主な原因は蛍光管のフィラメントの加熱時間であるから、「点弧誘発バイパス回路」の「高抵抗体」を正特性感熱素子（以下単にポジスタと呼ぶ。）に代えることにより、通電初期に比較的大電流を流し、瞬時にしてフィラメントを加熱した後、点弧が発生した時点では高抵抗となり、バイパス回路に流れる電流が無視し得る程度に減少するような通電特性とする。
ポジスタはテレビのブラウン管の消磁回路等に用いられ、数社のメーカーから特性の異なる種々のものがあるが、時間的立ち上がり勾配が余り急過ぎてもフィラメントの加熱時間が不足する恐れもあるので、その特性を慎重に選定する必要がある。
本案では、取りあえず、入手容易でポジスタと似た働きをする市販の１燭光型小型電球（ナツメ球）２ないし３個を直列にして試用した。本案に適当と思われるポジスタの特性としては、「通電前１００オーム以下、通電２〜３秒後の点弧発生時６０００オーム以上、点灯整定時少なくとも３０００オーム以上。」としたい。  Ｍ社の商品名「セラミスター」に該当品がある様であるが入手困難につき代用品を用いた。
なお、即時点灯性を確保するため、「図２」の様に、「特願２００４−３８２６７６」に記載の「３倍電圧の点弧誘因電極」を設ける。
【考案を実施するための最良の形態】
【０００５】「図１」はたまたま吊り下げ灯形式であるが、本体が６００グラムしかないので、卓上スタンド形式にも、その他あらゆる使用形態に対応出来る。
【実施例】
【０００６】  「図３」は交流直列順次起動軽量蛍光灯の電気回路図であるが、この方式は定常点灯電圧の不足を電流の増加という手段で乗り切った結果、蛍光管内の無効電流の影響か、蛍光管の輝度（光出力）は（次の）脈直流方式に比べて見劣りするが、エネルギー利用効率は従来比最高の９０％を記録した。入／出力３０／２７Ｗ．、力率−０．９９。
一方、「図１」、「図２」の脈直流直列順次起動軽量蛍光灯は、輝度も十分で、最近のインバーター式蛍光灯に遜色はない。入／出力３２／２７Ｗ．、力率１．０。敢て欠点を上げれば、陰極辺に黒ずみを生じ易い、外部電圧の変動の影響を受け易い、即時点灯性もまた不十分であるが、適正なポジスタを用いれば、改善すると思う。  両者共、回路簡潔、部品点数少なく、エネルギー効率良く、何より６００ｇｒと軽量であるから、将来、わが国の省資源、省エネルギーに貢献するものと信じる。
【考案の効果】
【０００７】  先ず電圧の不足を克服するため、交流のままなら無効電流を混合して電流量を増やし、点弧に必要な電圧をそれが可能な点まで引き下げる方法と、整流回路で１３０Ｖ．の脈直流にして給電する方法と、いずれも有効であることが確認された。
加えて、「順次起動」としたこと、３倍電圧の「点弧誘因電極」を取り付けたこと、及び本願の要旨である、ポジスタに類似な通電特性と考えられる１燭光型小型電球を「点弧誘発バイパス回路」の「高電気抵抗」として採用したことの総合効果として、自己点弧性のないＦＬ１５型蛍光管を用いても、性能的には従来比最高に優秀な、面光源風の、「直列順次起動軽量蛍光灯」が誕生した。
即時点灯性はポジスタ代用の１燭光型小型電球の通電初期抵抗が高い為、目標に今一歩届かずまだ１５秒を要するが、改善率としては大なるものがある。
【図面の簡単な説明】
【０００８】
【図１】脈直流直列順次起動軽量蛍光灯の外観図である。（傘を持ち上げた。）
【図２】同上の電気回路図である。
【図３】交流直列順次起動軽量蛍光灯の電気回路図である。
【符号の説明】
【０００９】
0003127923.tif 000003
【００１０】  Ｃ  ；電解コンデンサー（２７０μＦ，２００Ｖ．）
Ｃ１；フイルムコンデンサー（１μＦ，２５０Ｖ．）
Ｃ２；フイルムコンデンサーまたは電解コンデンサー（０．６８μＦ１６０Ｖ．以上）
Ｃ３；同上（０．４７μＦ１６０Ｖ．以上）
Ｃ４；同上（０．１μＦ２００Ｖ．程度）
Ｃ５；フイルムコンデンサー（３０μＦ，２５０Ｖ．）
Ｄ１，Ｄ２，Ｄ３；ダイオード（２００Ｖ以上１Ａ．）
Ｄ４；ブリッジ  ダイオード（５Ａ．２００Ｖ．以上）
Ｆ  ；フューズ（１〜１．５Ａ．）
Ｒ４；Ｃ４のバイパス抵抗（２００Ｋオーム１／４Ｗ．）
【００１１】
0003127923.tif 000004
１２Ｋオームに達するような通電特性のもの。）代用品として、１燭光型小型電球「図１」の場合は３個、「図３」の場合は２個を直列にして用いる。
0003127923.tif 000005
場合は自動車用電球１２Ｖ．１０Ｗ．の物２個を蛍光管側に取り付けて用いる。）
0003127923.tif 000006
２個，とポジスタの代用１燭光型小型電球（ナツメ球）３個とそのソケット及び倍電圧回路
0003127923.tif 000007
「図３」の場合；上記コンデンサーＣ，ブリッジダイオードＤ４の代わりにコンデンサーＣ５が入る。
【図１】
0003127923.tif 000008
【図２】
0003127923.tif 000009
【図３】
0003127923.tif 000010
【手続補正書】
【提出日】平成18年9月15日(2006.9.15)
【手続補正１】
【補正対象書類名】実用新案登録請求の範囲
【補正対象項目名】全文
【補正方法】変更
【補正の内容】
【実用新案登録請求の範囲】
【請求項１】
直列にした２本の蛍光管の中点に電源側の一方から「点弧誘発バイパス回路」を設け、その配線の中途に、バイパス電流の制限用抵抗として、１燭光型小型電球と同等以上の通電時電流減衰特性を示す正特性感熱素子を挿入したことを特徴とする点灯回路により、一本ずつ「順次起動」する軽量蛍光灯。